(57)【要約】【課題】プレゼンテーションを行うための外部表示装置に、ユーザが意図しない画像が表示されることを防止する。【解決手段】所望の画像情報を選択する入力部と、前記選択された画像情報を表示する表示部と、前記表示部に表示された画像情報を、外部表示装置に転送することを要求するための入力操作の有無を確認する外部表示要求部と、前記表示部に表示された画像情報を、前記外部表示装置に転送する画像情報転送部とを備え、前記入力部によって選択された画像情報を前記表示部に表示させた後、前記外部表示要求部が、前記表示された画像情報を、前記外部表示装置に転送することを要求する入力操作がされたことを確認した場合に、前記画像情報転送部が、前記表示された画像情報を、前記外部表示装置に転送する。【選択図】図１
2016091098.tif 000002
【特許請求の範囲】
【請求項１】
所望の画像情報を選択する入力部と、
前記選択された画像情報を表示する表示部と、
前記表示部に表示された画像情報を、外部表示装置に転送することを要求するための入力操作の有無を確認する外部表示要求部と、
前記表示部に表示された画像情報を、前記外部表示装置に転送する画像情報転送部とを備え、
前記入力部によって選択された画像情報を前記表示部に表示させた後、前記外部表示要求部が、前記表示された画像情報を、前記外部表示装置に転送することを要求する入力操作がされたことを確認した場合に、前記画像情報転送部が、前記表示された画像情報を、前記外部表示装置に転送することを特徴とする画像処理装置。
【請求項２】
前記表示部の表示画面の表示領域の一部分に、前記入力部によって選択された画像情報を表示させる確認画面を配置することを特徴とする請求項１に記載の画像処理装置。
【請求項３】
前記入力部によって、前記確認画面に表示された画像情報の選択を取り消すための入力操作がされた場合に、前記確認画面に表示されていた画像情報を前記外部表示装置に転送しないことを特徴とする請求項２に記載の画像処理装置。
【請求項４】
前記選択された画像情報が複数のページからなる画像を含む場合に、前記入力部によって前記確認画面に表示された画像情報の次のページを表示させる入力操作がされた場合、現在確認画面に表示されている画像情報の次のページの画像情報を前記確認画面に表示させることを特徴とする請求項２または３に記載の画像処理装置。
【請求項５】
前記確認画面に表示された画像情報を編集する画像情報編集部をさらに備え、前記画像情報編集部によって画像情報が編集された場合に、前記画像情報転送部は、編集後の画像情報を前記外部表示装置に転送することを特徴とする請求項２、３または４に記載の画像処理装置。
【請求項６】
前記選択された画像情報が複数のページからなる画像を含む場合に、次のページを前記表示部に表示させる入力操作が行われた場合、現在表示部に表示されている画像情報を前記外部表示装置に転送し、かつ次のページの画像情報を前記表示部に表示させることを特徴とする請求項１から５のいずれかに記載の画像処理装置。
【発明の詳細な説明】
【技術分野】
【０００１】
この発明は、画像処理装置に関し、特に、プレゼンテーション等で利用する文書や図面などからなる画像情報を、外部の表示装置に転送する機能を有する画像処理装置に関する。
【背景技術】
【０００２】
従来、大型スクリーンや大画面の表示装置を用いてプレゼンテーションを行う場合、大型スクリーン等に表示させたい画像を、ユーザが所有するパソコンに付属する表示画面に表示させ、この表示画面に表示されている画像と同一画像を拡大して、大型スクリーン等に表示させていた。
【０００３】
また、プレゼンテーションのしやすさを考慮して、ノート型パーソナルコンピュータ（ＰＣ）の表示画面を分割し、外部表示装置である大型スクリーンに表示された画像情報に対応する縮小画像を表示する表示領域と、プレゼンテーションソフトで上記画像情報を編集することが可能な表示領域とを、ＰＣの表示画面に配置した情報処理装置が提案されている。
【先行技術文献】
【特許文献】
【０００４】
【特許文献１】特開２０１０−３９８６２号公報
【発明の概要】
【発明が解決しようとする課題】
【０００５】
しかし、従来のように、パソコン等に表示されている画像と同一画像を大型スクリーンに表示させる場合、ユーザがパソコンで、文字サイズの変更処理や表示させるファイルの選択処理を行うと、その処理をする操作や作業内容そのものも、大型スクリーンに表示されてしまう。また、ユーザが、パソコンで、プレゼンテーションで表示させたいファイルを選択しているときに、視聴者に見せたくないファイルを誤って選択してパソコンの表画面に表示させてしまうと、ユーザの意図しない画像が、大型スクリーンに表示されてしまう。
このように、プレゼンテーションの途中で作業内容等が大型スクリーンに表示されると、スムーズなプレゼンテーションができなくなり、さらに、見せたくない画像が表示されてしまうことにより、秘密保持などのセキュリティが確保できなくなる場合もある。
【０００６】
また、ＰＣの画面に、大型スクリーン等に表示される画像を縮小表示した画面と編集画面とを表示領域を分けて表示する場合においても、縮小表示画面に表示された画像は、大型スクリーンにも表示されるので、プレゼンテーションで次に表示させようとする画像ファイルを選択しているときに、見せたくない画像ファイルを縮小表示画面に誤って表示させてしまうと、同様に、ユーザの意図しない画像が大型スクリーンに表示されてしまうことになる。
【０００７】
そこで、この発明は、以上のような事情を考慮してなされたものであり、ユーザが意図しない画像が、プレゼンテーション用の外部表示装置に表示されてしまうことを防止することのできる画像処理装置を提供することを課題とする。
【課題を解決するための手段】
【０００８】
この発明は、所望の画像情報を選択する入力部と、前記選択された画像情報を表示する表示部と、前記表示部に表示された画像情報を、外部表示装置に転送することを要求するための入力操作の有無を確認する外部表示要求部と、前記表示部に表示された画像情報を、前記外部表示装置に転送する画像情報転送部とを備え、前記入力部によって選択された画像情報を前記表示部に表示させた後、前記外部表示要求部が、前記表示された画像情報を、前記外部表示装置に転送することを要求する入力操作がされたことを確認した場合に、前記画像情報転送部が、前記表示された画像情報を、前記外部表示装置に転送することを特徴とする画像処理装置を提供するものである。
【０００９】
また、前記表示部の表示画面の表示領域の一部分に、前記入力部によって選択された画像情報を表示させる確認画面を配置することを特徴とする。
【００１０】
また、前記入力部によって、前記確認画面に表示された画像情報の選択を取り消すための入力操作がされた場合に、前記確認画面に表示されていた画像情報を前記外部表示装置に転送しないことを特徴とする。
【００１１】
また、前記選択された画像情報が複数のページからなる画像を含む場合に、前記入力部によって前記確認画面に表示された画像情報の次のページを表示させる入力操作がされた場合、現在確認画面に表示されている画像情報の次のページの画像情報を前記確認画面に表示させることを特徴とする。
【００１２】
また、前記確認画面に表示された画像情報を編集する画像情報編集部をさらに備え、前記画像情報編集部によって画像情報が編集された場合に、前記画像情報転送部は、編集後の画像情報を前記外部表示装置に転送することを特徴とする。
【００１３】
また、前記選択された画像情報が複数のページからなる画像を含む場合に、次のページを前記表示部に表示させる入力操作が行われた場合、現在表示部に表示されている画像情報を前記外部表示装置に転送し、かつ次のページの画像情報を前記表示部に表示させることを特徴とする。
【発明の効果】
【００１４】
この発明によれば、表示部に表示された画像情報を、外部表示装置に転送することを要求する入力操作がされたことを確認した場合に、その表示された画像情報を、外部表示装置に転送するので、ユーザが、表示された画像情報を外部表示装置に転送してもよいか否かを、その転送前に十分に確認することができ、外部表示装置を見ている視聴者に見てほしくない画像情報が誤って外部表示装置に表示されてしまうことを防止できる。
【図面の簡単な説明】
【００１５】
【図１】この発明の画像処理装置の一実施例の構成ブロック図である。
【図２】この発明の画像処理装置と外部表示装置との接続を示す概略説明図である。
【図３】この発明の画像処理装置と外部表示装置に表示される画像の一実施例の説明図である。
【図４】この発明の画像処理装置における表示制御処理の一実施例のフローチャートである。
【発明を実施するための形態】
【００１６】
以下、図に示す実施例に基づいて、この発明を説明する。
なお、これによって、この発明が限定されるものではない。
【００１７】
＜画像処理装置の構成＞
図１に、この発明の画像処理装置の一実施例の構成ブロック図を示す。
ここでは、画像処理装置でユーザが生成した画像情報、または選択あるいは取得した画像情報を画像処理装置の表示部に表示した後に、プレゼンテーション用などに利用される外部表示装置に、自己の表示部に表示した画像と同一画像を転送して、外部表示装置の表示画面（以下、プレゼン表示部とも呼ぶ）に表示させる実施例について示す。
【００１８】
図１において、この発明の画像処理装置１は、主として、制御部１１，表示部１２，表示制御部１３，表示データ生成部１４，画像合成部１５，縮小演算部１６，外部表示要求部１７，入力部１８，入力座標検出部１９，画像情報編集部２１，画像情報生成部２２，画像情報送信部２３，表示性能受信部２４，記憶部３１を備える。
【００１９】
画像処理装置１は、外部表示装置２に表示させる画像情報を、生成、記憶、選択および取得する装置であり、たとえば、パソコン、タブレット端末、携帯端末、TVなどに相当する。
外部表示装置２は、主として、多数の視聴者にプレゼンテーションをするために、所望の画像を表示させる大画面を有する表示装置であり、たとえば、液晶ディスプレイ（ＬＣＤ）、プラズマディスプレイ（ＰＤＰ）、有機ＥＬディスプレイ、プロジェクタ、ブラウン管（CRT）、LEDディスプレイなどに相当する。
なお、外部表示装置２に表示させるプレゼンテーション用の画像は、図示しないプリンタによって印刷してもよい。
【００２０】
画像処理装置１と外部表示装置２とは、既存の接続ケーブル３によって接続される。接続ケーブル３としては、現在用いられているあらゆる規格に対応したケーブルを用いることができるが、たとえば、ＶＧＡ、ＤＶＩ、ＨＤＭＩ（登録商標）、DisplayPort、LANなどに対応したいずれかのケーブルを用いればよい。
ただし、画像処理装置１と外部表示装置２とが、同一の規格に対応した画像伝送機能と、コネクタ端子を有していることが必要である。
【００２１】
画像処理装置１において、制御部１１は、主として、ＣＰＵ、ＲＯＭ、ＲＡＭ、Ｉ／Ｏコントローラ、タイマー等からなるマイクロコンピュータによって実現され、ＣＰＵが、ＲＯＭ等に記憶されたプログラムに基づいて、各種ハードウェアを有機的に動作させることによって、この発明の画像表示制御機能などを実行させる。
【００２２】
表示部１２は、プレゼンテーションを行うための画像情報や、各種機能を実行するために必要な情報などを表示させる部分であり、たとえば、ＬＣＤ、有機ＥＬディスプレイなどが用いられる。この発明では、特に、入力部１８によって選択された画像情報を、表示部１２に表示する。
また、後述する図２に示すように、表示部１２は、１つの表示画面において、作業画面１２ａと、確認画面１２ｂとを有するものとする。
なお、画像処理装置は、通常の使用状態においては、作業画面１２ａのみを表示画面に表示し、プレゼンテーションなど特別な機能を実行する場合に、表示部１２に、作業画面１２ａと、確認画面１２ｂとを表示するようにしてもよい。
【００２３】
作業画面１２ａは、画像処理装置を使用するユーザが、所望の機能を実行するための作業を行う画面であり、一般的なパソコンで使用されるデスクトップ画面に相当する。この作業画面１２ａには、たとえば、プレゼンテーションに使用する画像ファイルの選択や、起動するアプリの選択などの作業をする場合に、必要な情報が表示される。
確認画面１２ｂは、入力部１８によって選択された画像情報を表示する画面であり、たとえば、プレゼンテーション等を行うときに、外部表示装置２のプレゼン表示部５１に表示させる画像情報を表示した画面である。ユーザが所望の画像情報を利用してプレゼンテーションをする場合、その画像情報を外部表示装置２に転送する前に、確認画面１２ｂの中にその画像情報を表示させる。
この発明では、確認画面１２ｂに表示された画像情報は、ユーザの特別な外部表示要求のような指示入力がない限り、外部表示装置２に転送されることはなく、ユーザが確認画面１２ｂの表示画像を確認した後に、外部表示要求等を指示入力することによって、その表示画像が、外部表示装置２に転送される。
【００２４】
このように、表示部１２に、確認画面１２ｂを表示させ、外部表示装置２に画像情報を転送する前に、この確認画面１２ｂの中に画像情報を表示させることによって、ユーザは、プレゼンテーションで視聴者に見せる画像内容を確認することができ、視聴者に見せたくない画像が確認画面１２ｂに表示されている場合には、たとえば、見せたくない画像を確認画面から消去させる選択取消入力をするか、あるいはその画像を外部表示装置２に転送する指示入力をしないようにすることによって、誤って、見せたくない画像が外部表示装置２に表示されてしまうことを防止できる。
【００２５】
表示制御部１３は、表示部１２および外部表示装置２に表示させる画像を調整する部分であり、表示部１２および外部表示装置２にそれぞれ所望の画像が正しく表示されるように、解像度や走査周波数を調整して、映像信号を表示部１２および外部表示装置２に出力するものである。
一般的に、表示部１２と外部表示装置２の解像度や走査周波数等の表示性能は異なるので、表示部１２に対する表示制御部と、外部表示装置２に対する表示制御部とを別々に備えることが好ましい。
【００２６】
表示データ生成部１４は、画像処理装置１の表示部１２に表示させるデータを生成する部分である。表示部１２の表示画面は、上記したように、作業画面１２ａと、確認画面１２ｂの２つに分けられるので、作業画面１２ａに表示させる表示データと、確認画面１２ｂに表示させる表示データを別々に生成する。
【００２７】
作業画面１２ａに表示させる表示データは、たとえば、パソコン等のデスクトップ画面に表示される表示データであり、画像ファイルの選択画面や、アプリケーションプログラムの選択画面などの画面を表示するためのデータである。作業画面１２ａに表示させる表示データは、作業画面情報３３として、記憶部３１に記憶される。
確認画面１２ｂに表示させる表示データは、外部表示装置２にも表示させる画像のデータであり、そのもとになる記憶部３１に記憶された画像情報３２が、確認画面１２ｂの中に表示できるように縮小などの処理が行われて、表示データが生成される。
確認画面１２ｂと、外部表示装置２のプレゼン表示部５１の表示画面に表示させる画像のもとになるデータは、画像情報３２として、記憶部３１に予め記憶されるか、ネットワークを介してサーバなどから取得されるか、あるいは、ＣＤ−ＲＯＭなどの記憶媒体から読み出される。
【００２８】
画像合成部１５は、表示データ生成部１４によって生成された作業画面用の表示データと、確認画面用の表示データとを合成する部分である。これにより、表示部１２の表示画面の予め設定された位置に、作業画面１２ａと、確認画面１２ｂとが表示できるようになる。
あるいは、ユーザが、入力部１８を用いて、たとえば、確認画面１２ｂを移動させる操作や、確認画面１２ｂを拡大または縮小させる操作をした場合には、確認画面１２ｂの配置や大きさが変更されるように、両画面の合成処理が行われる。
２つの画面（１２ａ，１２ｂ）の合成後の表示データは、表示部１２の表示画面に表示させる表示データ３４として、記憶部３１に記憶される。
【００２９】
縮小演算部１６は、外部表示装置２のプレゼン表示部５１に表示させようとする画像情報３２を確認画面１２ｂに表示させる場合に、表示部１２の解像度等の表示性能を考慮して、もとになる画像情報３２を確認画面１２ｂにおさまるように表示させるための縮小率を算出する部分である。
この縮小率の算出には、表示部１２の表示性能に加えて、外部表示装置２の表示性能を示すＥＤＩＤ（Extended Display Identification Data）を利用し、たとえば、確認画面１２ｂ内へ画像情報32を外部表示装置２の解像度に比例することによって、縮小率が計算される。より具体的には、確認画面１２ｂが192x120のピクセルエリア、画像情報32が1920x1080のピクセルエリア、外部表示装置2が1920x1080の解像度である場合、外部表示装置２の1/10に縮小して画像情報32を表示する。確認画面１２ｂでは画像情報32と画像情報32の上下（4ピクセル×２）が黒表示となる。
算出された縮小率は、縮小率情報３６として記憶部３１に記憶され、選択された画像情報３２を確認画面１２ｂに縮小表示する場合に用いられる。
【００３０】
外部表示要求部１７は、確認画面１２ｂに表示された画像情報を、外部表示装置２に表示させるために、ユーザによって、その画像情報を転送することを要求するための入力操作がされたか否かを確認する部分である。確認画面１２ｂに表示された画像を外部表示装置２に転送させる外部表示要求がユーザによって入力されたことを、外部表示要求部１７が確認した場合に、後述する画像情報送信部２３が、確認画面１２ｂに表示された画像情報、すなわち外部表示装置２に表示させる画像の画像情報３２を、接続ケーブル３を介して、外部表示装置２に転送する。
【００３１】
たとえば、ユーザがプレゼンテーションで視聴者に見せたい画像Ａを選択して、その画像Ａを確認画面１２ｂに表示させ、その画像Ａがユーザが意図した見せても問題のない画像であることを確認した後、外部表示要求に対応するキー入力操作をした場合に、その画像Ａが、外部表示装置２に転送される。
あるいは、画像Ａを確認画面１２ｂに表示させたときに、ユーザが、その画像Ａをそのまま外部表示装置２に表示させるのは問題があると考えた場合は、ユーザは確認画面１２ｂを見ながら、たとえば、フォントやレイアウトの変更など必要な編集処理をした後に、外部表示要求に対応するキー入力操作をすればよい。
【００３２】
入力部１８は、ユーザが、文字などの情報の入力、実行させたい機能の選択入力、編集操作入力などの入力操作を行う部分である。
特に、この発明では、入力部１８は、所望の画像情報を選択する部分であり、さらに、外部表示要求や、選択取消要求の入力操作を行う部分である。
また、選択された画像情報が複数のページからなる画像を含む場合に、ユーザは、入力部１８によって、確認画面１２ｂに表示された画像情報の次のページを表示させる入力操作を行った場合、現在確認画面１２ｂに表示されている画像情報の次のページの画像情報を、確認画面１２ｂに表示させる。
また、後述するように、次のページを表示部の確認画面１２ｂに表示させる操作は、画像情報を外部表示装置２に転送することを要求するための入力操作とみなしてもよい。
さらに、ユーザによって、確認画面１２ｂに表示された画像情報の選択を取り消すための入力操作（選択取消要求）がされた場合に、確認画面の画像情報の表示を削除し、確認画面１２ｂに表示されていた画像情報は外部表示装置２に転送しない。
入力部１８としては、たとえば、キーボード、マウス、タッチパネル等が用いられるが、その他のポインティングデバイスや、カメラ、スキャナなどの入力装置を用いてもよい。
【００３３】
入力座標検出部１９は、マウス、あるいはタッチパネルを用いて入力された位置の座標を検出する部分であり、たとえば、表示部１２に表示されたマウスカーソルを用いて入力された相対位置や、タッチパネルで指示入力された絶対位置が検出される。
検出された位置の座標と、表示部１２に表示されている情報との関係で、ユーザによって選択された機能や情報が特定される。
【００３４】
画像情報編集部２１は、ユーザによって選択され、かつ確認画面１２ｂに表示された画像の画像情報３２を編集する部分である。
たとえば、ユーザが入力部１８を用いて、画像情報３２を加工して、外部表示装置２に表示させても問題ないように表示内容に変更を加える。
編集処理としては、通常パソコン等で行われているのと同様に、フォントサイズの変更、レイアウトの変更、文字や図形の追加や削除、複数ファイルのレイアウトなどの種々の作業が行えるようにしてもよい。編集作業が行われた場合は、外部表示要求が入力されれば、画像情報送信部２３が、編集後の画像情報を、外部表示装置２に転送する。
この編集作業は、ユーザが確認画面１２ｂを見ながら行い、画像情報を外部表示装置２に転送する前に行う。したがって、外部表示装置２のプレゼン表示部５１の画面を見ている視聴者は、プレゼン表示部５１を見てもこの編集作業の内容を見ることはできない。
【００３５】
画像情報生成部２２は、記憶部３１に記憶された画像情報３２に対応した画像が確認画面１２ｂに表示されて、必要ならば編集作業が行われた後、外部表示要求が入力された場合に、外部表示装置２に転送すべき画像情報を生成する部分である。
この画像情報は、外部表示装置２のプレゼン表示部５１に表示できるように、外部表示装置２の表示性能情報（ＥＤＩＤ）３５に対応させて生成される。
たとえば、ＥＤＩＤに予め設定された解像度、走査周波数、カラー特性などに対応するように、画像情報を構成し、接続ケーブル３に伝送する映像信号を生成する。
画像情報送信部２３は、上記した画像情報転送部に相当し、表示部１２に表示された画像情報を、外部表示装置２に転送する部分であり、詳しくは、画像情報生成部２２によって生成された画像情報を、接続ケーブル３を介して、映像信号として外部表示装置２に転送する部分である。
【００３６】
表示性能受信部２４は、外部表示装置２から、外部表示装置の表示性能を示す情報（ＥＤＩＤ）を取得する部分である。
表示性能情報（ＥＤＩＤ）は、外部表示装置２に記憶された情報であり、外部表示装置２固有の情報である。
たとえば、外部表示装置２のメーカ名、シリアル番号、カラー特性、表示可能な画像の解像度、水平および垂直の走査周波数、クロック周波数、電源制御、サポートオーディオ、サポート色差などが、ＥＤＩＤに予め設定されている。
外部表示装置２が、接続ケーブル３によって画像処理装置１と接続され、画像処理装置１からＥＤＩＤを保存した回路部分に所定の電源電圧が供給された場合に、所定の通信手順に基づいて、外部表示装置２の記憶部６１に記憶されていた表示性能情報（ＥＤＩＤ）６２が、外部表示装置２から画像処理装置１に送信される。
表示性能受信部２４は、この表示性能情報（ＥＤＩＤ）６２を受信して、記憶部３１に記憶する。
記憶された表示性能情報ＥＤＩＤ３５は、上記したように、画像情報生成部２２が画像情報を生成するときや、その他外部表示装置2の電源制御するときなどに用いられる。
【００３７】
記憶部３１は、画像処理装置１が有する機能を実行するときに利用する情報や、プログラムを記憶した部分であり、ＲＯＭ、ＲＡＭ、フラッシュメモリなどの半導体記憶素子、ＨＤＤ、ＳＳＤなどの記憶装置、その他ＣＤ−ＲＯＭなどの記憶媒体が用いられる。
【００３８】
記憶部３１には、たとえば、画像情報３２，作業画面情報３３，表示データ３４，表示性能情報（ＥＤＩＤ）３５，縮小率情報３６などが記憶される。
表示部１２に表示される表示データ３４や、外部表示装置２に転送される画像情報などのリアルタイム性を要求される情報は、ＲＡＭなどの書き換え可能なメモリに一時記憶される。
【００３９】
画像情報３２は、文書、図面など、表示画面に表示させることが可能な情報であり、主として、表示部１２と、外部表示装置２のプレゼン表示部５１に表示する画像のもとになる情報を意味する。
画像情報３２は、たとえば、ユーザが作成した情報、他の記憶媒体から取得した情報、ネットワークを介してサーバなどから取得した情報などからなり、特に、ユーザが、プレゼンテーションで視聴者に見せることを意図した文書ファイルや画像ファイルなどの情報である。
【００４０】
このような画像ファイル等は、ハードディスクなどの不揮発性メモリに記憶しておく。ユーザの選択入力操作によって、所望の画像ファイルが選択されると、その画像ファイルの画像情報３２が読み出され、表示部１２の確認画面１２ｂに表示される。
１つの画像ファイルが複数ページの画像からなる場合は、まず最初のページが表示され、ユーザが外部表示要求の指示入力や、ページ送り要求の入力をした場合に、次のページが確認画面１２ｂに表示される。
画像情報３２を確認画面１２ｂに表示する場合、表示データ生成部１４が、その画像情報３２を確認画面１２ｂの中に表示できるように表示データを生成し、画面合成部１５が、作業画面１２ａに表示すべき作業画面情報３３と合成した後、表示制御部１３が、合成後の表示データ３４を表示部１２の表示画面に表示させる。
【００４１】
作業画面情報３３は、作業画面１２ａに表示させる表示データを意味する。この情報３３は、パソコン等のデスクトップ画面に相当し、ユーザの入力操作や起動させたアプリケーションプログラム等によって、作業画面１２ａに表示される内容はその都度変化する。
【００４２】
表示データ３４は、表示部１２の表示画面に表示させるデータを意味し、作業画面１２ａと、確認画面１２ｂにそれぞれ表示させる画像を合成した後の表示データに相当する。この表示データ３４も、ユーザの入力操作等によって、その都度変化する。
【００４３】
表示性能情報（ＥＤＩＤ）３５は、上記したように、外部表示装置２から取得した情報であり、ＲＡＭなどの書き換え可能なメモリに記憶される。接続される外部表示装置２が変更されれば、このＥＤＩＤ３５も新たに取得される。
縮小率情報３６は、上記したように、縮小演算部１６によって算出される縮小率であり、確認画面１２ｂに所望の画像情報３２を表示するときに利用される。
【００４４】
＜外部表示装置の構成＞
図１に示すように、外部表示装置２は、主として、プレゼン表示部５１、画像情報取得部５２、表示性能送信部５３、記憶部６１を備える。
プレゼン表示部５１は、画像処理装置１から転送されてきた画像情報を表示する部分であり、たとえば、液晶表示パネル（ＬＣＤ）、プラズマディスプレイパネル（ＰＤＰ）、有機ＥＬディスプレイパネルなどが用いられる。
多数の視聴者に対して、プレゼンテーションを行う場合は、大画面の表示パネルが用いられる。
【００４５】
画像情報取得部５２は、接続ケーブル３を介して転送されてきた画像情報を取得して、プレゼン表示部５１に表示する部分である。取得された画像情報は、自己の表示性能情報（ＥＤＩＤ）６２に適合した形式の映像信号であり、所定の解像度や走査周波数等に基づいて、映像がプレゼン表示部５１に表示される。
【００４６】
表示性能送信部５３は、記憶部６１に予め記憶された表示性能情報（ＥＤＩＤ）６２を、接続ケーブル３を介して、画像処理装置１に送信する部分である。
記憶部６１には、上記したように、メーカ名などからなる表示性能情報（ＥＤＩＤ）６２が、固定的に記憶される。
【００４７】
＜画像処理装置と外部表示装置の接続構成＞
図２に、この発明の画像処理装置１と外部表示装置２との接続構成について、概略説明図を示す。
この発明の画像処理装置１と外部表示装置２は、所定の映像信号を送受信できる接続コネクタを備え、従来から用いられている映像信号の規格に適合した接続ケーブル３で接続される。
【００４８】
画像処理装置１は、その表示部１２の表示画面の表示領域の一部分に、作業画面１２ａと、確認画面１２ｂとを配置する。作業画面１２ａと確認画面１２ｂとは、表示画面を分割して異なる表示領域に配置してもよいが、図示したように、作業画面１２ａの中の一部分の表示領域に、確認画面１２ｂを配置してもよい。
また、確認画面１２ｂの表示位置や画面サイズを、ユーザの指示入力によって変更できるようにしてもよい。
【００４９】
プレゼン表示部５１は、接続ケーブル３を介して転送されてきた画像情報を表示するが、原則として、確認画面１２ｂに表示されていた画像と同一内容の画像が、表示される。
ただし、たとえば、確認画面１２ｂに画像Ｂが表示されており、ユーザがその画像内容を確認している場合や編集中である場合には、その画像Ｂが外部表示装置２にまた転送されないので、プレゼン表示部５１には、この画像Ｂは表示されず、現在プレゼン表示部５１に表示されている画像Ａがある場合は、この画面Ａがプレゼン表示部５１に表示されたままとする。
【００５０】
＜外部表示装置に表示される画像の実施例＞
図３に、この発明の画像処理装置と外部表示装置に表示される画像の一実施例の概略説明図を示す。
図３（ａ）において、ユーザが表示すべき画像情報として画像Ａを選択して、画像Ａを確認画面１２ｂに表示させ、さらに、ユーザが外部表示要求を指示入力することによって、同一の画像Ａが外部表示装置２のプレゼン表示部５１に表示されていたとする。
画像Ａの選択は、たとえば、作業画面１２ａの中に、選択可能な複数の画像ファイル（Ａ，Ｂ，．．．，Ｎ）のリストを表示させ、その中から、所望の画像ファイルをユーザがマウス等を使って選択入力する操作をすることによって行えばよい。
この場合、画像のサイズや解像度は異なるが、同一内容の画像Ａが、確認画面１２ｂとプレゼン表示部５１に表示されている。
この状態において、ユーザは、画像Ａを使って、プレゼン表示部５１を見ている視聴者に対してプレゼンテーションをすることができる。
【００５１】
図３（ｂ）において、画像Ａを使用したプレゼンテーションが終了したので、ユーザは、次に表示させるべき画像Ｂを選択する。たとえば、作業画面１２ａに表示されている画像ファイルの中から、ユーザがマウス等を使って、次に表示させるべき画像Ｂを選択入力する。
あるいは、画像Ａが複数のページを有する画像ファイルである場合は、ユーザが所定のページ送りキーを入力操作することにより、次ページの画像を選択する。
【００５２】
図３（ｃ）において、上記のように画像Ｂが選択されると、画像Ｂに対応する画像情報３２が記憶部３１から読み出されて、確認画面１２ｂの中に表示される。
この状態では、プレゼン表示部５１には、画像Ａがまだ表示しつづけられるように、表示制御される。
図３（ｃ）のように、画像Ｂが確認画面１２ｂに表示されている状態で、ユーザは、この画像Ｂをそのままプレゼン表示部５１に表示してもよいか否かを確認する。
もし、この画像Ｂをプレゼン表示部５１に表示したくない場合は、作業画面１２ａを利用して、画像Ｂの選択を取り消す操作や、他の画像を選択する操作を行う。
あるいは、画像Ｂを加工して表示させる必要がある場合や、画像Ｂの一部分を拡大表示させて見せたい場合などでは、ユーザは、所望の編集処理を行って、見せてもよい画像を確認画面１２ｂに表示させる。
【００５３】
図３（ｄ）において、確認画面１２ｂに現在表示されている画像Ｂがプレゼン表示部５１に表示させてもよい画像となっている場合は、ユーザは、外部表示要求を意味するキー入力や、タッチパネル操作などを行う。
外部表示要求に相当する入力操作が行われた場合、図３（ｄ）に示すように、画像Ｂの画像情報が、外部表示装置２に転送され、画像Ｂをプレゼン表示部５１に表示させる。この状態で、ユーザは、画像Ｂを利用して、プレゼン表示部５１に表示された画像Ｂを見ている視聴者に対して、プレゼンテーションを行う。
【００５４】
図３（ｅ）に示すように、ユーザが選択した画像Ｂの画像ファイルが複数ページからなるものであった場合、ユーザは次ページを表示させるために、たとえば、ページ送りを意味するキー入力操作をする。この入力操作によって、次ページの画像Ｂ２が、確認画面１２ｂに表示される。ただし、この状態では、プレゼン表示部５１には、まだ画像Ｂが表示しつづけられるように、表示制御される。
【００５５】
ユーザは、確認画面１２ｂに表示された画像Ｂ２を確認することによって、画像Ｂ２をプレゼン表示部５１に表示させてもよいか否か判断する。
表示させてもよい場合は、図３（ｄ）に示したのと同様に、ユーザが外部表示要求を意味する入力操作をすることによって、画像Ｂ２が外部表示装置２に転送され、プレゼン表示部５１に画像Ｂ２が表示される。
【００５６】
以上のように、ユーザが選択した画像は、まず確認画面１２ｂに表示される。次にユーザが外部表示要求を入力するまでは、その選択した画像は、プレゼン表示部５１には表示されないようにする。
これによって、ユーザのみが、確認画面１２ｂを見て、選択した画像を視聴者に見せてもよいものか否かを判断することができ、見せたくない画像の場合は、外部表示要求を入力しないようにすることなどによって、意図しない画像が、誤ってプレゼン表示部５１に表示されてしまうことを防止できる。
【００５７】
また、ユーザが確認画面１２ｂの画像を見ている状態で、その画像に対して所望の編集作業を行うことにより、見せたい画像に加工することができ、加工した後に、外部表示要求を入力することによって、視聴者には、プレゼン表示部５１の表示画面でその編集作業状態を見せることなく、ユーザが見せたい画像をプレゼン表示部５１に表示させることができる。
【００５８】
＜画像処理装置の表示制御処理＞
図４に、この発明の画像処理装置において実行される表示制御処理の一実施例のフローチャートを示す。
画像処理装置１と外部表示装置２とが接続ケーブル３で接続された後、両装置の電源が投入され、両装置とも起動されたとする。
【００５９】
画像処理装置の制御部１１は、所定の通信手順に基づいて、外部表示装置２と通信可能となったことを確認した後、外部表示装置２に対して表示性能情報（ＥＤＩＤ）を要求する信号を送信する。この要求信号を受信した外部表示装置２は、記憶部６１から表示性能情報（ＥＤＩＤ）６２を読み出して、画像処理装置１に送信する。
ステップＳ１において、表示性能受信部２４は、接続ケーブル３を介して、外部表示装置２から送られてきた表示性能情報（ＥＤＩＤ）を取得し、記憶部３１に記憶する。
【００６０】
ステップＳ２において、表示部１２に、作業画面１２ａと、確認画面１２ｂを表示させる。このとき、表示データ生成部１４が、作業画面１２ａと確認画面１２ｂに表示させるべき表示データを生成し、画面合成部１５によって両画面（１２ａ，１２ｂ）の表示データを合成して、表示制御部１３によって、合成後の表示データを表示部１２の表示画面に表示させる。
また、確認画面１２ｂの表示サイズや表示部１２の解像度と、取得した外部表示装置２のＥＤＩＤとを利用して、縮小演算部１６が、確認画面１２ｂに表示させる画像の縮小率を算出し、記憶部３１に、縮小率情報３６として記憶する。
【００６１】
ステップＳ３において、画像ファイルの選択処理が行われるのを待つ。ユーザが、入力部１８を用いて、プレゼンテーションで表示させようとする画像が記憶された画像ファイルを選択する操作をした場合、制御部１１は、その画像ファイルを選択する処理を行う。ここでは、選択された画像ファイルを検索し、対応する画像情報３２を記憶部３１から読み出す。
【００６２】
ステップＳ４において、ユーザによって、画像ファイルを選択する入力があった場合、ステップＳ５へ進み、そうでない場合は、ステップＳ３へ戻る。
選択入力があったか否かの判断は、選択操作がキーボードで行われる場合は、所定のキーが入力されたか否かをチェックすることによって行えばよい。
あるいは、マウスやタッチパネルを用いて入力される場合は、入力座標検出部１９によって入力された位置の座標を検出し、その座標が選択入力を意味する位置であった場合、選択入力があったと判断する。
また、マウス等を用いて、作業画面１２ａに表示されていた画像ファイルのアイコンを確認画面１２ｂの中にドラッグする操作がされた場合に、その画像ファイルを選択する入力がされたと判断してもよい。
【００６３】
ステップＳ５において、制御部１１が、読み出した画像ファイルの画像情報３２を確認画面１２ｂに表示させる。
ここで、表示データ生成部１４が、読み出した画像情報３２を用いて、確認画面１２ｂに表示させることができるように、解像度等を調整して表示データを生成し、表示制御部１３が、生成された表示データを表示部１２に表示させる。
これにより、表示部１２に表示される作業画面１２ａと確認画面１２ｂからなる合成画像のうち、確認画面１２ｂの表示領域に、選択された画像ファイルの画像が表示される。
ユーザは、この確認画面１２ｂに表示された画像を見て、プレゼン表示部５１に表示してもよい画像か否かを確認することができる。
【００６４】
ステップＳ６において、選択された画像の編集処理を行う。ここでは、ユーザが入力部１８を用いて、所定の入力操作を行って確認画面１２ｂに表示された画像に対して編集作業を行う。これにより、画像情報編集部２１が、その入力操作に対応した所定の編集処理を実行する。
たとえば、フォントの変更や、レイアウト調整などの編集処理が、確認画面１２ｂに表示された画像に対して行われ、画像情報生成部２２によって、編集後の画像情報が生成される。ただし、編集処理は必須ではなく、行わなくてもよい。ユーザは、編集処理をする必要がない場合は、例えば、外部表示要求等を意味する入力をすればよい。
【００６５】
ステップＳ７において、編集処理を終了することを意味する入力操作がされたか否かをチェックする。編集処理を終了する入力がされた場合は、ステップＳ８へ進み、そうでない場合は、ステップＳ６へ戻る。
あるいは、編集処理を終了する入力がされなくても、次のステップＳ８の外部表示要求を意味する入力操作がされたか否かをチェックしてもよい。
【００６６】
ステップＳ８において、外部表示要求部１７によって、外部表示要求を意味する入力がされたか否かをチェックする。
外部表示要求を意味する入力がされた場合は、ステップＳ１４へ進み、そうでない場合は、ステップＳ９へ進む。
ステップＳ９において、画像ファイルの次ページを表示させるための入力操作（ページ送り要求）がされたか否かをチェックする。ページ送り要求が入力された場合は、ステップＳ１０へ進み、そうでない場合はステップＳ１１へ進む。
ステップＳ１０において、画像情報送信部２３が、編集後の画像情報を、接続ケーブル３を介して、外部表示装置２に転送する。
ここでは、表示制御部１３が、記憶部３１に記憶されたＥＤＩＤ３５を用いて、編集後の画像情報を、プレゼン表示部５１に表示できる映像信号に変換して、接続ケーブル３に出力する。
ただし、編集が行われなかった場合は、確認画面１２ｂに表示された画像がそのまま転送される。
その後、ステップＳ１６へ進み、選択された画像ファイルの次ページの画像を読み出し、確認画面１２ｂに表示させた後、ステップＳ６へ戻る。
これにより、画像ファイルが複数ページから構成される場合、外部表示要求の入力をしなくても、次のページを表示させることを意味する入力操作をするだけで、外部表示装置へ画像を転送することと、次ページを確認画面１２ｂに表示させることが１回の入力操作で可能となり、ユーザの入力負担を軽減することができる。
【００６７】
ステップＳ１１において、現在確認画面１２ｂに表示されている画像の選択を取り消す入力操作がされたか否かをチェックする。選択を取消す入力操作がされた場合は、ステップＳ１２へ進み、そうでない場合は、ステップＳ１３へ進む。
ステップＳ１２において、選択が取り消されたので、確認画面１２ｂに表示されている画像を消去して、他の画像ファイルを選択するために、ステップＳ３へ戻る。
ステップＳ１３において、ステップＳ３のような新たな他の画像ファイルを選択する入力操作がされたか否かをチェックする。他の画像ファイルの選択入力がされた場合は、ステップＳ５へ戻り、そうでない場合は、ステップＳ７へ戻る。
【００６８】
ステップＳ１４において、ユーザが外部表示要求を意味する入力をしたので、画像情報送信部２３が、編集後の画像情報を、接続ケーブル３を介して、外部表示装置２に転送する。
外部表示装置２において、画像情報取得部５２が、接続ケーブル３を介して転送されてきた画像情報を取得して、プレゼン表示部５１に表示させる。これにより、確認画面１２ｂに表示された画像と同一の画像が、プレゼン表示部５１に表示される。
この後、ユーザは、確認画面１２ｂの画像を見ながら、プレゼン表示部５１に表示された同一画像を見ている視聴者に対して、所定のプレゼンテーションを行うことができる。
【００６９】
ステップＳ１５において、ユーザが、選択した画像ファイルの次ページを表示させるためのページ送り操作をした場合、その画像ファイルに次ページが存在するか否かをチェックする。次ページが存在する場合は、ステップＳ１６へ進み、次ページが存在しない場合は、ステップＳ１７へ進む。
【００７０】
ステップＳ１７において、ユーザが選択した画像ファイルの画像の表示がすべて終了したので、確認画面１２ｂに、次の画像ファイルの選択を待っていることを示すような選択待ち画像を表示させる。
たとえば、確認画面１２ｂの画面がブルー一色となるような表示をする。その後、ステップＳ３へ戻る。
【００７１】
一方、ステップＳ１６において、上記したように選択された画像ファイルから、次のページの画像を読み出し、確認画面１２ｂに表示させる。その後、ステップＳ６へ戻り、ユーザは、新たに表示されたページの画像をプレゼン表示部５１に表示してよいかを確認し、必要ならば編集処理を行い、その画像を表示してよい場合は、外部表示要求の入力を行う。
【００７２】
以上の処理により、選択した画像ファイルの画像は、まず、確認画面１２ｂに表示されるので、ユーザは、その確認画面１２ｂの表示内容を確認することにより、プレゼン表示部５１に表示する前に、確認画面１２ｂに表示されている画像が、プレゼン表示部５１に表示してもよいものか否かを、容易に確認することができる。
【００７３】
また、ユーザ自らの意思で外部表示要求を入力した場合、確認画面１２ｂに表示されていた画像と同一の画像が、プレゼン表示部５１に表示されるので、視聴者に見せたくない画像については、外部表示要求を入力しないようにすることによって、見せたくない画像が誤ってプレゼン表示部５１に表示されてしまうことを防止できる。
【００７４】
＜その他の実施形態＞
（実施形態１）
確認画面１２ｂに表示させる画像ファイルの選択は、主として、次のようないずれかの入力操作を行えばよい。
（ａ）作業画面１２ａに表示された複数の画像ファイルのリストの中から、所望の画像ファイルを、キー入力操作、マウスによるポインタの移動操作、あるいはタッチパネルに対する接触入力操作などによって、選択する。
（ｂ）作業画面１２ａに表示された複数の画像ファイルのアイコンの中から、所望の画像ファイルのアイコンを、確認画面１２ｂの中にドラッグする。
（ｃ）その他、サーバーコンピュータからファイルのパス入力することによって、画像ファイルを選択してもよい。
【００７５】
（実施形態２）
確認画面１２ｂに表示されている画像を、外部表示装置のプレゼン表示部５１に表示させるために、主として、次のようないずれかの入力操作を行えばよい。
（ａ）キーボードのキーのうち、外部表示要求を意味するキーとして、予め割り当てられているキーを押し下げる。
（ｂ）作業画面１２ａに表示された「外部表示要求」を意味する表示領域を、マウスによるポインタの移動操作、あるいはタッチパネルに対する接触入力操作などによって、選択する。
（ｃ）確認画面１２ｂに表示されている画像をマウス等で選択して、作業画面１２ａに表示された「外部表示要求」を意味する表示領域にドラッグする。
（ｄ）表示部１２とプレゼン表示部５１とが、連続的な表示領域として認識される座標を持つマルチウインドゥを構成している場合、確認画面１２ｂに表示されている画像を、マウス等で選択して、プレゼン表示部５１が存在する領域へドラッグする。
（ｅ）選択した画像ファイルが複数ページの画像から構成されている場合、次のページの画像を選択することを意味するキーの入力や、所定のページ送りを意味するキーの入力、または、マウスあるいはタッチパネルによる「ページ送り」を意味する表示領域の選択入力をする。この入力操作によって、現在確認画面１２ｂに表示されている画像を外部表示装置２に転送し、かつ確認画面１２ｂに、次のページの画像を表示させる。
これによれば、ページ送りを意味する入力操作をするだけで、外部表示装置への画像の転送と、次ページの画像の確認画面１２ｂへの表示が可能となり、ユーザの入力負担を軽減できる。
【００７６】
（実施形態３）
画像ファイルが複数ページの画像から構成される場合、順次次ページの画像を確認画面１２ｂに表示させてもよいが、ページの順序どおりに表示させたくない場合もある。
そこで、１つのページ画像のみを確認画面１２ｂに表示させるのではなく、連続する複数ページの画像を同時に確認画面１２ｂの中に縮小表示させて、縮小表示された複数の画像のうち、所望の１つの画像を選択入力した後、その選択入力された１つの画像のみを確認画面１２ｂに表示させるようにしてもよい。
これによれば、ページの順序にかかわらず、任意のページにある画像を容易に選択することが可能となり、確認画面１２ｂにその選択された画像のみを表示させることによって、プレゼン表示部５１に表示させてよいか否かを確認することができる。
【符号の説明】
【００７７】
１  画像処理装置、  ２  外部表示装置、  ３  接続ケーブル、  １１  制御部、  １２表示部、  １２ａ  作業画面、  １２ｂ  確認画面、  １３  表示制御部、  １４  表示データ生成部、  １５  画面合成部、  １６  縮小演算部、  １７  外部表示要求部、  １８  入力部、  １９  入力座標検出部、  ２１  画像情報編集部、  ２２  画像情報生成部、  ２３  画像情報送信部、  ２４  表示性能受信部、  ３１  記憶部、  ３２  画像情報、  ３３  作業画面情報、  ３４  表示データ、  ３５  表示性能情報（ＥＤＩＤ）、  ３６  縮小率情報、  ５１  プレゼン表示部、  ５２  画像情報取得部、  ５３  表示性能送信部、  ６１  記憶部、  ６２  表示性能情報
【図１】
2016091098.tif 000003
【図２】
2016091098.tif 000004
【図３】
2016091098.tif 000005
【図４】
2016091098.tif 000006